(57)【要約】【課題】  改ざん防止ラベル等の別部品を用いることなく、簡易な構成によって、容器の開封履歴や確実な締め付け状態を容易に判別することのできる開封確認機能付きキャップを提供する。【解決手段】  キャップ下部体としての本体キャップ１３と、キャップ上部体としての計量キャップ１２とからなり、容器本体１４の口首部１１に取り付けられた本体キャップ下部体１３に対して計量キャップ１２が回転により着脱可能に装着される開封確認機能付きキャップ１０であって、収容物を収容した後、計量キャップ１２が装着された容器の製造完了時において、本体キャップ１３と計量キャップ１２とに跨って、周方向位置照合用印字１５ａ，１５ｂが施されている。またキャップ１０の下端部と容器本体１４とに跨って、周方向位置照合用補助印字１６が施されている。【選択図】      図１
2005162272.tif 000002
【特許請求の範囲】
【請求項１】
キャップ下部体とキャップ上部体とからなり、容器本体の口首部に取り付けられたキャップ下部体に対してキャップ上部体が回転により着脱可能に装着されるキャップであって、
収容物を収容した後、前記キャップ上部体が装着された容器の製造完了時において、前記キャップの周方向の少なくとも一部に、前記キャップ下部体と前記キャップ上部体とに跨って、周方向位置照合用印字が施されている開封確認機能付きキャップ。
【請求項２】
前記キャップ下部体が本体キャップであり、前記キャップ上部体が計量キャップである請求項１記載の開栓確認機能付きキャップ。
【請求項３】
開封時に分離可能な分離帯を下端周縁部に沿って有しており、容器本体の口首部に回転により着脱可能に装着されるキャップであって、
収容物を収容した後、前記キャップが装着された容器の製造完了時において、前記キャップの周方向の少なくとも一部に、前記キャップの下端部と前記分離帯とに跨って、周方向位置照合用印字が施されている開封確認機能付きキャップ。
【請求項４】
前記キャップの下端部又は前記分割帯と、前記容器本体とに跨って、前記キャップの周方向の少なくとも一部に、周方向位置照合用補助印字が施されている請求項１〜３のいずれかに記載の開封確認機能付きキャップ。
【請求項５】
前記周方向位置照合用印字が施される部分の前記キャップ上部体又は前記キャップの周面には、滑止め用の凹凸面が形成されており、前記周方向位置照合用印字は、レーザー印字機又はインクジェット印字機を用いて印字されている請求項１〜４のいずれかに記載の開封確認機能付きキャップ。
【請求項６】
前記キャップ下部体に対する前記キャップ上部体の回転による着脱、又は前記容器本体の口首部に対する前記キャップの回転による着脱は、２条ネジ又は４条ネジを介して行われる請求項１〜５のいずれかに記載の開封確認機能付きキャップ。
【発明の詳細な説明】
【技術分野】
【０００１】
本発明は、容器本体の口首部に取り付けられる、キャップ下部体とキャップ上部体とからなる開封確認機能付きキャップ、及び開封時に分離可能な分離帯を下端周縁部に沿って有している開封確認機能付きキャップに関する。
【背景技術】
【０００２】
収容物として、例えば液体、粉体、粒状物等の状態で例えば化粧品、液体洗剤、飲料水、柔軟剤、漂白剤等を収容する容器によれば、例えば合成樹脂製の容器本体にこれらの収容物を収容した後に、容器本体の口首部にキャップを装着することによって収容物を封入するようになっている。
【０００３】
キャップは、例えばネジ等による締め付け機構を介して、容器本体の口首部に回転により着脱可能に装着され、容器本体を容易且つズムーズに開閉しつつ、内部の収容物を使用したり、食したりすることを可能にする。また、キャップとしては、例えば液体洗剤を計量する機能を備える計量キャップの如く、容器本体の口首部に取り付けられた本体キャップ（キャップ下部体）に装着されて、この本体キャップを介して容器本体の口首部に当該計量キャップ（キャップ上部体）が着脱可能に装着される構造のものや、例えば飲料水を収容するＰＥＴ（ポリエチレンテレフタレート）ボトルに用いられるキャップの如く、容器本体の口首部に着脱可能に直接装着されるものが知られている。
【０００４】
一方、キャップは、容器本体の口首部に着脱可能に装着されているので、取り外しが容易であり、例えば収容物を収容して容器が製造されてから、店頭に並べられて消費者が購入するまでの間に未だ開封されていないことを、消費者本人が確認できなと、消費者にとっては購入し難くなる場合があり、また製造メーカーにおいても、製造時や店頭に並べられた時点で、未だ開封されていないことを保証する必要を生じる場合がある。
【０００５】
また、商品によっては、例えば収容物が柔軟剤等を含むものである場合に、消費者が店頭でキャップを取り外して容器を開封し、収容物の香りや内容量、色彩等を確認した上で購入することが可能なものもあるが、収容物の確認後に消費者がキャップを閉め直す際の締め方が不十分であると、当該消費者や他の消費者がこの商品を購入した際に、例えば車や自転車等を介した運搬、搬送時や持ち運び時に容器が正立しない状態になることによって、収容物が容器から洩れ出るおそれがある。
【０００６】
これに対して、収容物を収容した容器が製造されてから、店頭に並べられられるまでの間に未だ開封されていないことを確認する手段として、例えばキャップと容器本体とに跨って改ざん防止ラベルを貼り付け、この改ざん防止ラベルが破られているか否かによってキャップが開封されたことを判別する方法（例えば、特許文献１参照）や、キャップの下端周縁部に沿って、開封時に分離可能な分離帯である例えばターンパーエビデントバンド（ＴＥバンド）を、弱化線を介して連接しておき、このＴＥバンドが分離しているか否かによってキャップが開封されたことを判別する方法（例えば、特許文献２参照）が知られている。
【特許文献１】特開平１０−２５４３６１号公報
【特許文献２】特開２００３−７２７９５号公報
【発明の開示】
【発明が解決しようとする課題】
【０００７】
しかしながら、改ざん防止ラベルを貼り付ける方法によれば、容器本体やキャップの他に、改ざん防止ラベルという別部品を必要とすることになってコストアップになると共に、例えばキャップと容器本体とに跨がる所定の位置に改ざん防止ラベルを貼り付ける作業に多くの手間がかかることになる。また、ＴＥバンドを分離させる方法によれば、内容物の温度や気温、別の容器のキャップを取り外す際に要した回転トルクとの相対比較等から、当該キャップを開封する際の抵抗力である回転トルクをほとんど感じることなくＴＥバンドを分離させることが可能な場合があり、このような場合には、消費者は、容器が既に開封されて改ざんされたことへの疑いを生じることになると共に、製造メーカーにとっては、このような苦情を寄せた消費者に対して、製造時や店頭に並べられるまでの品質管理について充分な説得力をもって説明することが困難になる場合がある。
【０００８】
本発明は、改ざん防止ラベル等の別部品を用いることなく、簡易な構成によって、容器の開封履歴や、確実な締め付け状態を容易に判別することができると共に、製造時や店頭に並べられるまでの品質管理についての消費者に対する説得力のある説明を、容易に行うことを可能にする開封確認機能付きキャップを提供することを目的とする。
【課題を解決するための手段】
【０００９】
本発明は、キャップ下部体とキャップ上部体とからなり、容器本体の口首部に取り付けられたキャップ下部体に対してキャップ上部体が回転により着脱可能に装着されるキャップであって、収容物を収容した後、前記キャップ上部体が装着された容器の製造完了時において、前記キャップの周方向の少なくとも一部に、前記キャップ下部体と前記キャップ上部体とに跨って、周方向位置照合用印字が施されている開封確認機能付きキャップを提供することにより、上記目的を達成したものである。
【００１０】
また、本発明は、開封時に分離可能な分離帯を下端周縁部に沿って有しており、容器本体の口首部に回転により着脱可能に装着されるキャップであって、収容物を収容した後、前記キャップが装着された容器の製造完了時において、前記キャップの周方向の少なくとも一部に、前記キャップの下端部と前記分離帯とに跨って、周方向位置照合用印字が施されている開封確認機能付きキャップを提供することにより、上記目的を達成したものである。
【００１１】
ここで、上記記載において、キャップ下部体とキャップ上部体とに跨って施される周方向位置照合用印字や、キャップの下端部と分離帯とに跨って施される周方向位置照合用印字は、これらの外周面における接合部を挟んで連続的に跨るように印字されている必要は必ずしもなく、周方向における相対位置を目視によって容易に判別できる程度に一体的な関連性をもって施されていれば、外周面の接合部を挟んで間隔をおいて、各キャップ体や分離帯等にこれら照合用印字が各々施されていても良い。例えば各キャップ体や分離帯等の周面に、周方向に同じ長さの長さ領域に納まるようにして例えば数字やアスファベット等による文字列を印字しておき、接合部を挟んだ上下の文字列の印字された領域のずれを確認することによって、各キャップ体や分離帯等の周方向の相対位置を照合させるようなものであっても良い。
【００１２】
また、周方向位置照合用印字は、文字列の他、記号、絵柄、模様、２列の周方向位置照合用印字等であっても良く、印字には、着色を伴う印字の他、彫り込みや刻印等の着色以外の他の方法による印字も含まれる。
【発明の効果】
【００１３】
本発明の開封確認機能付きキャップによれば、改ざん防止ラベル等の別部品を用いることなく、簡易な構成によって、容器の開封履歴や、確実な締め付け状態を容易に判別することができると共に、製造時や店頭に並べられるまでの品質管理についての消費者に対する説得力のある説明を、容易に行うことを可能にすることができる。
【発明を実施するための最良の形態】
【００１４】
図１及び図２に示す本発明の好ましい第１実施形態に係る開封確認機能付きキャップ１０は、例えば収容物として液体洗剤や柔軟剤、漂白剤、糊剤等を収容する合成樹脂製のボトル容器の口首部１１に着脱可能に装着されると共に、当該開封確認機能付きキャップ１０の計量キャップ１２は、例えば計量目盛を備えていて、適量の液体洗剤等を計量して洗濯機等に投入することのできる機能を備えている。
【００１５】
そして、本第１実施形態の開封確認機能付きキャップ１０は、キャップ下部体としての本体キャップ１３と、キャップ上部体としての計量キャップ１２とからなり、容器本体１４の口首部１１に取り付けられた本体キャップ１３に対して、計量キャップ１２が回転により着脱可能に装着されるキャップであって、収容物として液体洗剤等を容器本体１４に収容した後、本体キャップ１３に計量キャップ１２が装着された容器の製造完了時において、キャップ１０の周方向の少なくとも一部に、本体キャップ下部体１３と計量キャップ１２とに跨って、周方向位置照合用印字１５ａ，１５ｂが施されている。
【００１６】
また、本第１実施形態によれば、開封確認機能付きキャップ１０を構成する本体キャップ１３の下端部と、容器本体１４の口首部１１の基端部分１１ａとの間に跨って、キャップ１０の周方向の少なくとも一部に、周方向位置照合用補助印字１６が施されている。
【００１７】
さらに、本第１実施形態によれば、周方向位置照合用印字１５ａが施される部分の計量キャップ１２の外周面には、例えばローレット加工が施されて、滑止め用の凹凸面１７が形成されており、周方向位置照合用印字１５ａは、レーザー印字機又はインクジェット印字機を用いて、非接触での印字操作によって施されている。
【００１８】
本第１実施形態によれば、開封確認機能付きキャップ１０のキャップ下部体である本体キャップ１３は、例えば特開２００１−１３９０４９号公報に記載される本体キャップと略同様の構成を備える、例えば射出成形によって形成された合成樹脂製の公知のものであり、図２に示すように、注ぎ口を下方に向けた状態の計量キャップ１２の液戻し筒部１８を、上方から挿入配置させることのできる大きさの液回収用凹部１９を内側に有している。
【００１９】
また本体キャップ１３は、ボトル容器の口首部１１の外周面を覆って螺合装着されるスカート壁部２０と、スカート壁部２０の天井部から上方に突出してスカート壁部２０よりも小さな径で同心状に設けられ、外周面に雄ネジが形成された雄ネジ壁部２１と、雄ネジ壁部２１の下端部から口首部１１の内周面に沿うようにして下方に延設されると共に、斜めに傾斜する底面板２２を有する椀状の受け皿部２３と、この受け皿部２３の中央部分から上方に突出して設けられる注出ノズル２４とからなる。
【００２０】
スカート壁部２０の内周面には雌ネジが形成されており、この雌ネジを容器本体１４の口首部１１の外周面に形成された雄ネジに螺合することにより、本体キャップ１３がボトル容器の口首部１１に装着固定される。また本第１実施形態によれば、雄ネジ壁部２１の雄ネジは２条雄ネジとなっており、この２条雄ネジには、後述する計量キャップ１２のスカート状の拡径壁部２５の内周面に形成された２条雌ネジが螺合されることになる。
【００２１】
受け皿部２３は、ボトル容器の口首部１１の内側に挿入配置される椀状部分であって、これの斜めに傾斜する底面板２３には、その最も低い部分に位置して液戻し開口２６が形成されている。計量キャップ１２を再装着した際に、計量キャップ１２から液回収用凹部１９に回収された余剰液を、この液戻し開口２６を介して容器本体１４の内部に戻すことができるようになっている。また注出ノズル２４は、その基端部において底面板２２に開口形成した流出開口２７と連通しており、先端注出口を介して、容器本体１４から計量キャップ１２に液体洗剤をスムーズに注出することができるようになっている。
【００２２】
開封確認機能付きキャップ１０のキャップ上部体である計量キャップ１２は、本体キャップ１３に対して２条ネジによる回転によって着脱可能に装着され、当該本体キャップ１３を介して口首部１１に間接的に装着されるものであり、例えば合成樹脂を射出成形することによって形成される。計量キャップ１２は、液戻し筒部１８と液溜め部２８とを連続一体化してなる有底円筒形状の計量部２９と、計量部２９の軸方向略中央部分の外周面から円環状フランジ３０を介して外側にスカート状に張り出すように支持されて、計量部２９と同心状に設けられた拡径壁部２５とによって構成される。
【００２３】
また、本第１実施形態によれば、計量キャップ１２の拡径壁部２５の内周面には２条雌ネジが形成されており、上述のように、この２条雌ネジを介して２条雄ネジを有する本体キャップ１３の雄ネジ壁部２１に拡径壁部２５が螺合されることにより、計量キャップ１２が本体キャップ１３に対して回転により着脱可能に装着されることになる。さらに、本第１実施形態によれば、拡径壁部２５の外周面には、その全周に亘って、ローレット加工による凹凸面１７が形成されており、これによって計量キャップ１２を本体キャップ１３に着脱する際の滑り止め機能が、効果的に発揮されるようになっている。
【００２４】
なお、本第１実施形態によれば、計量キャップ１２の拡径壁部２５よりも上方に位置する液溜め部２８の外周面にも、ローレット加工による計量部凹凸面３１が適宜箇所に形成されており、計量キャップ１２の操作性をさらに向上させている。また、円環状フランジ３０の下面には、円環リブ状のインナーリング３２が下方に突出して設けられており、計量キャップ１２を本体キャップ１３に装着した際に、拡径壁部２５の上端内周面とインナーリング３２との間に雄ネジ壁部２１の上端を挟み込むことにより、計量キャップ１２と本体キャップ１３との接合時の安定したシール性を確保できるようになっている。
【００２５】
そして、本第１実施形態によれば、収容物として例えば液体洗剤等を容器本体１４に収容した後、これの口首部１１に、一体として、或いは別々に、本体キャップ１３と計量キャップ１２とを装着した容器の製造完了時において、本体キャップ１３と計量キャップ１２とに跨って、周方向位置照合用印字１５ａ，１５ｂが、例えばレーザー印字機等を用いて施されている。計量キャップ１２に施された周方向位置照合用印字１５ａと本体キャップ１３に施された周方向位置照合用印字１５ｂは、いずれも数字やアルファベット等による文字列によって構成されており、各周面において、キャップ１０の周方向の実質的に同じ長さの領域Ｒに納まるように印字されている。即ち、当該文字列の両端部の位置が略合致するように描かれており、周方向における相対位置を目視によって容易に判別できる程度に相互に一体的な関連性をもった状態で、本体キャップ１３と計量キャップ１２の外周面の接合部３３において連続することなく、これの両側に各々施されるものとなる。
【００２６】
これらの周方向位置照合用印字１５ａ，１５ｂは、計量キャップ１２が本体キャップ１３に対して所定の締め付けトルクで充分に締め付けられた容器の製造完了時において、互いに合致する、周方向の実質的に同じ長さの領域Ｒに納まるように印字されるので、例えばこれらの周方向位置照合用印字１５ａ，１５ｂの相対位置がずれていることを目視によって判別することにより、製品の製造完了後に、少なくとも一度、計量キャップ１２が既に回転操作されてそのバージン性が失われたことを容易に確認することが可能になる。また、液体洗剤等を収容した容器が、消費者が店頭で計量キャップ１２を取り外して容器を開封し、収容物の香りや内容量、色彩等を確認した上で購入することが可能な商品である場合に、当該収容物を確認した消費者や店内を見回る店員に対して、計量キャップ１２を締め直す際に、周方向位置照合用印字１５ａ，１５ｂの位置が互いに合致するまで締め込むように誘導することが可能になり、計量キャップ１２の締め方が不十分となることを回避することが可能になる。これによって、商品を購入した当該消費者や他の消費者が例えば容器を持ち運ぶ際に容器が正立しない状態になる場合に、収容物が容器から洩れ出ることを効果的に防止することが可能になる。
【００２７】
さらに、本第１実施形態によれば、本体キャップ１３への計量キャップ１２の螺合による装着は、２条ネジを介して行われることにより、例えば消費者は、計量キャップ１２のネジ込みの開始位置を誤って１８０度ずれた反対側としてネジ込む場合があるが、このような場合には、ネジ込みの終了時において、計量キャップ１２の周方向位置照合用印字１５ａと本体キャップ１３の周方向位置照合用印字１５ｂとが、１８０度ずれた反対側に配置されることになるので、このような誤操作を容易に認知して計量キャップ１２を装着し直すことが可能になる。
【００２８】
さらにまた、計量キャップ１２の周方向位置照合用印字１５ａと本体キャップ１３の周方向位置照合用印字１５ｂとを合致させることにより、計量キャップ１２が本体キャップ１３に対して所定の締め付けトルクで充分に締め付けられることを容易に確認することができるので、製造時や店頭に並べられるまでの品質管理について苦情を寄せた消費者に対しても、このような品質管理について充分に説得力のある説明を行うことが可能になる。
【００２９】
すなわち、本第１実施形態の開封確認機能付きキャップ１０によれば、改ざん防止ラベル等の別部品を用いることなく、所定の印字１５ａ，１５ｂによる簡易な構成によって、容器の開封履歴や、確実な締め付け状態を容易に判別することができると共に、製造時や店頭に並べられるまでの品質管理についての消費者に対する説得力のある説明を、容易に行うことが可能になる。
【００３０】
また、本第１実施形態によれば、開封確認機能付きキャップ１０を構成する本体キャップ１３の下端部と、容器本体１４の口首部１１の基端部分１１ａとの間に、例えば円形の周方向位置照合用補助印字１６が、これらの外周面における接合部３４を挟んで連続的に跨るように、例えばレーザー印字機等を用いて印字されているので、着色インクによる印字の汚れや、かすれの心配がなく、また消費者に目立つようにも目立たなくするようにもすることが可能になる。
【００３１】
さらに、本第１実施形態によれば、周方向位置照合用印字１５ａが施される部分である、拡径壁部２５の外周面には、滑止め用の凹凸面１７が形成されており、周方向位置照合用印字１５ａは、レーザー印字機又はインクジェット印字機を用いて印字されているので、印字用の着色インクが凹凸面１７の凹部まで容易に塗布されて印字１５ａが明瞭に描かれると共に、計量キャップ１２の繰り返し回転操作時に、手指が凹凸面１７の凸部に触れて当該凸部の着色インクが消失しても、手指と接触し難い凹部の着色インクによって印字１５ａが残ることになり、引き続いて、計量キャップ１２の確実な締め付け状態等を容易に確認することが可能になる。
【００３２】
図３及び図４は、本発明の第２実施形態に係る開封確認機能付きキャップ４０を示すものであり、本第２実施形態の開封確認機能付きキャップ４０は、例えば飲料水を収容するＰＥＴ（ポリエチレンテレフタレート）ボトルからなる容器本体４１の口首部４２に着脱可能に直接装着されて用いられる。
【００３３】
そして、本第２実施形態の開封確認機能付きキャップ４０は、開封時に分離可能な例えばターンパーエビデントバンド（ＴＥバンド）からなる分離帯４３を、下端周縁部に沿って備えていると共に、容器本体４１の口首部４２に回転により着脱可能に装着されるキャップであって、収容物として例えば飲料水を収容した後、キャップ４０が装着された容器の製造完了時において、キャップ４０の周方向の少なくとも一部に、キャップ４０の下端部と分離帯４３とに跨って、周方向位置照合用印字４４が施されている。
【００３４】
本第２実施形態によれば、開封確認機能付きキャップ４０は、例えば射出成形によって形成された合成樹脂製の公知のものであり、有天円筒形状を有していると共に、その円筒部分４５の内側面には、雌ネジを構成する雌ネジ突条４６が設けられている。また、天面部分４７の内側面には、インナーリング４８等が下方に突出して設けられている。
【００３５】
さらに、キャップ４０の円筒部分４５の下端周縁部には、当該円筒部分４５の下端部分を肉厚方向に切り込んで、弱化線４９が全周に亘って形成されると共に、円筒部分４５の裏面側において弱化線４９に跨って周方向に間隔をおいて設けられた、細幅の複数の接続ブリッジ５０を介して弱化線４９を挟んだ上下両側の部分を連結補強することにより、開封時に接続ブリッジ５０を破断させつつ弱化線４９を介して分離可能な分離帯４３が、円筒部分４５の下端周縁部に沿って設けられることになる。
【００３６】
さらにまた、本第２実施形態によれば、キャップ４０の下端部と分離帯４３とに跨って印字される周方向位置照合用印字４４は、数字やアルファベット等による一列の文字列からなるものであり、このような一列の文字列が、弱化線４９に沿って、当該弱化線４９を挟んだ両側に跨るようにして施されることにより、文字列を構成する各数字等が、キャップ４０と分離帯４３との外周面における接合部である弱化線４９を挟んで、連続的に跨るように印字されることになる。
【００３７】
そして、本第２実施形態の開封確認機能付きキャップ４０によれば、特に周方向位置照合用印字４４が施されている部分において、分離帯４３がキャップ４０の下端周縁部から分離していることを目視によって判別するこにより、製品の製造完了後に、キャップ４０が既に回転操作されてそのバージン性が失われたことを容易に確認することが可能になる。また、消費者が内容物の温度等の影響で回転トルクをほとんど感じることなくキャップ４０を開封することができた場合において、当該消費者が、容器が既に開封されていたことへの疑いを生じて苦情を寄せた際にも、このような消費者に対して、製造メーカーは、キャップ４０と分離帯４３とに跨って印字された周方向位置照合用印字４４の存在によって、製造時や店頭に並べられるまでの品質管理について充分な説得力をもって容易に説明することが可能になる。
【００３８】
なお、本発明は上記各実施形態に限定されることなく種々の変更が可能である。例えば周方向位置照合用印字は、文字列である必要は必ずしもなく、キャップの周方向の全周に亘って設けても良い。また、上記第１実施形態においてキャップの下端部と容器本体とに跨って周方向位置照合用補助印字を設ける必要は必ずしもなく、上記第２実施形態において分割帯と容器本体とに跨って周方向位置照合用補助印字を設けることもできる。さらに、キャップ下部体に対するキャップ上部体の着脱や容器本体の口首部に対するキャップの着脱は、２条ネジによるものである必要は必ずしもなく、例えば４条ネジや１条ネジによるものの他、ネジによる螺合に限定されることなく、回転によって着脱可能なその他の装着手段によるものであっても良い。さらにまた、容器本体に収容される収容物は、液体洗剤や飲料水の他、粉体や粒状体等であっても良い。収容物の液垂れ防止の観点からは、本発明の開封確認機能付きキャップは、収容物が液体の場合に最も効果的に用いることができる。
【図面の簡単な説明】
【００３９】
【図１】本発明の第１実施形態に係る開封確認機能付きキャップが装着されたボトル容器を示す正面図である。
【図２】本発明の第１実施形態に係る開封確認機能付きキャップがボトル容器に装着された状態を示す断面図である。
【図３】本発明の第２実施形態に係る開封確認機能付きキャップがボトル容器に装着された状態を示す斜視図である。
【図４】本発明の第２実施形態に係る開封確認機能付きキャップの右半分を断面図として示す正面図である。
【符号の説明】
【００４０】
１０，４０  開封確認機能付きキャップ
１１  口首部
１２  計量キャップ（キャップ上部体）
１３  本体キャップ（キャップ下部体）
１４，４１  容器本体
１５ａ，１５ｂ，４４  周方向位置照合用印字
１６  周方向位置照合用補助印字
１７  滑止め用の凹凸面
２５  計量キャップのスカート状の拡径壁部
２９  計量キャップの計量部
３１  計量部凹凸面
３３  本体キャップと計量キャップの外周面の接合部
４３  分離帯（ターンパーエビデントバンド）
４６  雌ネジ突条
４９  弱化線
５０  接続ブリッジ
【図１】
2005162272.tif 000003
【図２】
2005162272.tif 000004
【図３】
2005162272.tif 000005
【図４】
2005162272.tif 000006